(57)【要約】【課題】例えば建築物の外壁材や間仕切材などとして用いられる軽量気泡コンクリートパネルに係り、このようなパネルを例えば建物の外壁材等として使用する場合に、シーリング目地が目立って意匠感や見栄えを損ねることがなく、しかも意匠性に優れ、かつ外観体裁のよいパネルを提供する。【解決手段】  縦横に並べて配設される長方形状の軽量気泡コンクリートパネルであって、隣接するパネル同士を突き合わせることによって形成されるシーリング材充填用目地溝の開口側を除く底部にのみシーリング材を充填する構成とし、上記長方形状のパネルの長辺と短辺の少なくともいずれか一方の辺の長さを複数個に等分する位置に、他方の辺と略平行な意匠溝を設けると共に、上記意匠溝の断面形状を、上記目地溝の底部にシーリング材を充填した後に残る目地溝の空間の断面形状と略同一に形成したことを特徴とする。【選択図】図１
2005200991.tif 000002
【特許請求の範囲】
【請求項１】
縦横に並べて配設される長方形状の軽量気泡コンクリートパネルであって、隣接するパネル同士を突き合わせることによって形成されるシーリング材充填用目地溝の開口側を除く底部にのみシーリング材を充填する構成とし、上記長方形状のパネルの長辺と短辺の少なくともいずれか一方の辺の長さを複数個に等分する位置に、他方の辺と略平行な意匠溝を設けると共に、上記意匠溝の断面形状を、上記目地溝の底部にシーリング材を充填した後に残る目地溝の空間の断面形状と略同一に形成したことを特徴とする軽量気泡コンクリートパネル。
【請求項２】
前記意匠溝は前記パネルの幅方向または長さ方向全長にわたって設けられている請求項１記載の軽量気泡コンクリートパネル。
【請求項３】
前記意匠溝とは別に、パネル幅方向または長さ方向全長にわたらない短い意匠溝を設けてなる請求項１記載の軽量気泡コンクリートパネル。
【請求項４】
前記目地溝は、前記パネルの全周に設けられている請求項１または２記載の軽量気泡コンクリートパネル。
【発明の詳細な説明】
【技術分野】
【０００１】
本発明は、例えば建築物の外壁材や間仕切材などとして用いられる軽量気泡コンクリートパネル（以下、ＡＬＣパネルという）に関する。
【背景技術】
【０００２】
ＡＬＣパネルは、経済性、軽量性、耐火断熱性、加工性に優れており、建築物の外壁材や間仕切材などとして広く使用されている。このようなＡＬＣパネルを、例えば外壁材として用いる場合には、建物の外面に例えば図９に示すようにパネルＰを縦横に並べて配置し、下地となる不図示の木材や鋼材に、ビスや金物等で取付ける。その後、雨水等に対する止水対策もしくは地震発生時にパネルにクラック等が発生するのを抑制するために、隣り合うパネル間に形成した目地溝にシーリング材を充填してなるシーリング目地ｍが施される。
【０００３】
ところが、上記のシーリング目地ｍは、隣り合うパネルＰ・Ｐ間のほぼ全長わたって形成され、それらのパネルＰで形成された建物の外壁面には図９に示すようにパネルＰの大きさ・形状に応じた格子状のシーリング目地ｍが残る。そのシーリング目地ｍは外観上目立ち、又その目地がパネルＰの大きさ形状をそのまま表わすこととなるため、意匠的に必ずしも見栄えが良いとは言い難い等の不具合があった。
【０００４】
一方、上記のようなＡＬＣパネル表面の意匠性を向上させるために、例えば下記特許文献１、２のように切削加工具等でパネル表面に断面略コ字形の凹溝条等よりなる意匠溝を形成することが提案されているが、この種の意匠溝は、前記のシーリング目地とは無関係に形成するのが一般的であり、全体的な統一性や外観体裁等に対する配慮に欠ける嫌いがあった。
【０００５】
【特許文献１】特開昭５８−１６０１０６号公報
【特許文献２】特開２００２−２５４４２６号公報
【発明の開示】
【発明が解決しようとする課題】
【０００６】
本発明は上記従来の問題点に鑑みて提案されたもので、上記のようなＡＬＣパネルを例えば建物の外壁材等として使用する場合に、シーリング目地が目立って意匠感や見栄えを損ねることがなく、しかも意匠性に優れ、かつ外観体裁のよいＡＬＣパネルを提供することを目的する。
【課題を解決するための手段】
【０００７】
上記の目的を達成するため本発明によるＡＬＣパネルは以下の構成としたものである。即ち、縦横に並べて配設される長方形状の軽量気泡コンクリートパネルであって、隣接するパネル同士を突き合わせることによって形成されるシーリング材充填用目地溝の開口側を除く底部にのみシーリング材を充填する構成とし、上記長方形状のパネルの長辺と短辺の少なくともいずれか一方の辺の長さを複数個に等分する位置に、他方の辺と略平行な意匠溝を設けると共に、上記意匠溝の断面形状を、上記目地溝の底部にシーリング材を充填した後に残る目地溝の空間の断面形状と略同一に形成したことを特徴とする。
【発明の効果】
【０００８】
上記のように長方形状のパネルの長辺と短辺の少なくともいずれか一方の辺の長さを複数個に等分する位置に、他方の辺と略平行な意匠溝を設けると共に、上記意匠溝の断面形状を、上記目地溝の底部にシーリング材を充填した後に残る目地溝の空間の断面形状と略同一に形成したので、外観上目地溝と意匠溝との違いが殆どなくなって目地溝の違和感が解消されると共に、パネルの大きさ・形状が目立って意匠感や外観体裁を損ねるのを解消することが可能となる。
【発明を実施するための最良の形態】
【０００９】
以下、図に示す実施形態に基づいて本発明を具体的に説明する。図１（ａ）は本発明によるＡＬＣパネルの一実施形態を示す正面図、同図（ｂ）はその右側面図、同図（ｃ）は底面図、また図２は上記パネルの要部の横断底面図である。
【００１０】
本実施形態は表面略長方形状のＡＬＣパネル１を横長、すなわち長辺１ａ方向を横向きにして建物の外面等に配置するようにしたもので、その周縁部にはシーリング目地溝２が形成され、パネル表面には意匠溝３が形成されている。
【００１１】
上記ＡＬＣパネルの大きさ形状は適宜であるが、本実施形態においては図１（ａ）で左右方向の長辺１ａの長さは１８２０ｍｍ、同図（ａ）で上下方法の短辺１ｂの幅は６０６ｍｍ、同図（ｂ）で左右方向の厚さは３７ｍｍに形成されている。
【００１２】
パネル周縁部に形成される目地溝２の大きさ形状も適宜であるが、本実施形態においては図２に示すように隣接するパネル同士を突き合わせることによって断面略コ字形を呈するように形成され、その目地溝２の開口側（図２で略上半部）を除く底部（図２で略下半部）にのみシーリング材Ｓを充填する構成である。特に、図の場合は上記開口側の角部に傾斜面２ｔを形成して、その傾斜面２ｔを除くそれよりも深い位置にシーリング材Ｓを充填する構成である。
【００１３】
一方、意匠溝３は、長方形状のパネルの長辺と短辺の少なくともいずれか一方の辺の長さを複数個に等分する位置に、他方の辺と略平行に設ける。例えば短辺１ｂと略平行に意匠溝３を設ける場合には、２以上の整数をＮとして、長辺１ａの長さをＮ等分し、そのＮ等分した位置に、短辺１ｂと略平行な意匠溝３を設ければよい。図１の実施形態はパネル１の長辺１ａの長さを２等分して、その２等分した位置すなわち長辺１ａの長さ方向中央部に短辺１ｂと略平行な意匠溝３を設けたものである。
【００１４】
また上記意匠溝３の断面形状は、前記目地溝２の底部にシーリング材Ｓを充填した後に残る目地溝２の空間の断面形状と略同一に形成したもので、本実施形態は図２の右側部分に示すように目地溝２の底部にシーリング材Ｓを充填した後に残る目地溝２の空間の断面形状は、対向する側面が傾斜面２ｔよりなる逆台形状になるように構成されており、それに合わせて図２の中央部の意匠溝３の断面形状も上記と全く同じ大きさの逆台形状に形成したものである。
【００１５】
上記目地溝２および意匠溝３の寸法は適宜であるが、本実施形態においては図３において目地溝２の深さＤ１が１２ｍｍ、Ｄ２が６ｍｍ、幅Ｗ１が３．５ｍｍ、Ｗ２が６．５ｍｍにそれぞれ形成され、意匠溝３の深さＤ３は上記Ｄ２と同じ６ｍｍ、幅Ｗ３はＷ１の２倍の７ｍｍ、Ｗ４はＷ２の２倍の１３ｍｍに形成されている。
【００１６】
従って、上記意匠溝３の断面形状と、シーリング材Ｓを充填した後の目地溝２の空間の断面形状とは全く同一であり、また図２の右側部分の目地溝２の断面形状からも明らかなように隣り合うパネルの突き合わせ部分も目地溝２に充填したシーリング材Ｓで隠れて表面からは見えなくなるため、表面からみた目地溝２と意匠溝３の形状も全く同一となる。そのため、例えば前記図１の実施形態のように長辺を２等分する位置に短辺と平行な意匠溝３を設けたパネルにあっては、それを図４のように縦横に並べると、該パネルの表面の略半分の面積を有するタイル状の突出部４が目地溝２または意匠溝３よりなる均一の断面形状を有する溝を介して縦横に万遍なく並んだ状態となる。その結果、目地溝２が目立たなくなり、パネルの大きさ・形状は判別不能となり、意匠感や外観体裁を向上させることができるものである。
【００１７】
なお上記実施形態は、長方形状のＡＬＣパネル１の長辺１ａを２等分する位置に短辺１ｂと平行な意匠溝３を設けたが、その等分する個数は適宜であり、例えば長辺１ａを３等分する位置に短辺１ｂと平行な意匠溝３を設けると、図５のようになる。また、そのパネル１を縦横に並べて配置すると共に、目地溝２にシーリング材Ｓを充填すると、図６のように略正方形状のタイル状の突出部４が目地溝２または意匠溝３よりなる均一の断面形状を有する溝を介して縦横に万遍なく並んだ状態となり、この場合にもパネルの大きさ・形状は判別不能となり、意匠感や外観体裁を向上させることができる。
【００１８】
また上記実施形態は、長方形状のＡＬＣパネル１の長辺１ａを複数個に等分する位置に短辺１ｂと平行な意匠溝３を設けたが、短辺１ｂを複数個に等分する位置に長辺１ａと平行な意匠溝を設けてもよく、あるいは上記両方の意匠溝を設けることもできる。上記の意匠溝はパネル１の幅方向もしくは長手方向全長にわたって設けるのが望ましいが、場合によっては短く形成してもよい。
【００１９】
さらに上記のような構成の意匠溝の他に、例えば馬踏み目地やランダムな石積み調の目地のように、長辺小口から相対する長辺小口に通じないような短辺方向の溝を施すと、シーリング目地をさらに目立たないようにすることができる。図７はその一例を示すもので、前記図１のようにパネル１の全周に目地溝２を有し、かつパネル１の長辺１ａを２等分する位置に短辺１ｂと平行な意匠溝３を設けてなるＡＬＣパネルに、さらにランダムな石積みを模した柄を形成するための意匠溝５を縦横に形成したもので、その各意匠溝５はパネル１の幅方向もしくは長手方向全長にわたることなく、短く形成されている。また上記目地溝２および意匠溝３の各部の寸法は、前記図３と同様に形成されているのに対し、上記意匠溝４の底面の幅は５ｍｍ、上面の幅は１０ｍｍ、深さは６ｍｍに本実施形態においては形成したものであるが、意匠溝３と同一に形成してもよい。
【００２０】
上記のように目地溝２や意匠溝３の他に更に各種の模様等を施すための意匠溝５等を設けると、目地溝２がさらに目立たなくなり、特に上記のようなパネルを図８のように縦横に並べると、全体としてランダムな石積みを模した柄の繰り返しの印象が強くなり、パネルの大きさ形状はもとより目地溝の存在をも感じさせない、外観体裁のよいパネルが得られるものである。
【産業上の利用可能性】
【００２１】
以上のように本発明によるＡＬＣパネルは、長方形状のパネルの長辺と短辺の少なくともいずれか一方の辺の長さを複数個に等分する位置に、他方の辺と略平行な意匠溝を設けると共に、その意匠溝の断面形状を、シーリング材充填後の目地溝の断面形状と略同一に形成したので、目地溝が目立ったり、パネルの大きさ・形状が分かって違和感や外観体裁を損ねるのを解消することができる。その結果、この種のパネルの意匠性を向上させるための手段とその選択の自由度を増大させることが可能となる。
【図面の簡単な説明】
【００２２】
【図１】（ａ）は本発明によるＡＬＣパネルの一実施形態を示す正面図、（ｂ）はその右側面図、（ｃ）は底面図。
【図２】上記パネルの一部の拡大横断底面図。
【図３】上記パネルの一部の拡大図。
【図４】上記パネルを縦横に配列した状態の正面図。
【図５】本発明によるＡＬＣパネルの他の実施形態を示す正面図。
【図６】上記パネルを縦横に配列した状態の正面図。
【図７】本発明によるＡＬＣパネルの更に他の実施形態を示す正面図。
【図８】上記パネルを縦横に配列した状態の正面図。
【図９】従来のパネルを縦横に配列した状態の正面図。
【符号の説明】
【００２３】
１  ＡＬＣパネル
２  目地溝
３  意匠溝
４  突出部
５  他の意匠溝
【図１】
2005200991.tif 000003
【図２】
2005200991.tif 000004
【図３】
2005200991.tif 000005
【図４】
2005200991.tif 000006
【図５】
2005200991.tif 000007
【図６】
2005200991.tif 000008
【図７】
2005200991.tif 000009
【図８】
2005200991.tif 000010
【図９】
2005200991.tif 000011
【手続補正書】
【提出日】平成16年1月19日(2004.1.19)
【手続補正１】
【補正対象書類名】明細書
【補正対象項目名】０００２
【補正方法】変更
【補正の内容】
【０００２】
ＡＬＣパネルは、経済性、軽量性、耐火断熱性、加工性に優れており、建築物の外壁材や間仕切材などとして広く使用されている。このようなＡＬＣパネルを、例えば外壁材として用いる場合には、建物の外面に例えば図９に示すようにパネルＰを縦横に並べて配置し、下地となる不図示の木材や鋼材に、ビスや金物等で取付ける。その後、雨水等に対する止水対策もしくは地震発生時にパネルにクラック等が発生するのを抑制するために、隣り合うパネル間に形成した目地溝にシーリング材を充填してなるシーリング目地ｍが施される。